(57)【要約】【課題】引き出し時の衝撃からスライドレールを保護するスライドレールのストッパー機構を提供すること。【解決手段】本体１０から本体内部の格納ユニットを引き出すように本体と格納ユニット２０に取付けられるスライドレール３０を保護するスライドレールのストッパー機構において、ストッパー機構は、格納ユニットの引き出し方向に沿って所定量だけ移動自在となるように格納ユニットに取り付けられ、格納ユニットが本体内部に格納された状態では格納ユニットに対して相対的に近づく第1位置に移動し、格納ユニットが本体から引き出される状態では、格納ユニットに対して相対的に離れる第２位置に移動する補助スライダ５０と、本体に設けられ、補助スライダの引き出し方向への移動を停止させる停止部６０とを有し、ストッパー機構は、スライドレールによって引き出される最長の位置より本体に近い位置で、第２位置に移動した補助スライダを停止部で停止させて、格納ユニットの引き出しを停止させる。【選択図】図４
2015154841.tif 000002
【特許請求の範囲】
【請求項１】
本体から本体内部の格納ユニットを引き出すように前記本体と前記格納ユニットに取付けられるスライドレールを保護するスライドレールのストッパー機構において、
前記ストッパー機構は、
前記格納ユニットの引き出し方向に沿って所定量だけ移動自在となるように前記格納ユニットに取り付けられ、前記格納ユニットが前記本体内部に格納された状態では前記格納ユニットに対して相対的に近づく第1位置に移動し、前記格納ユニットが前記本体から引き出される状態では、前記格納ユニットに対して相対的に離れる第２位置に移動する補助スライダと、
前記本体に設けられ、前記補助スライダの引き出し方向への移動を停止させる停止部とを有し、
前記ストッパー機構は、前記スライドレールによって引き出される最長の位置より前記本体に近い位置で、前記第２位置に移動した前記補助スライダを前記停止部で停止させて、前記格納ユニットの引き出しを停止させる
ことを特徴とするスライドレールのストッパー機構。
【請求項２】
前記ストッパー機構は、前記格納ユニットの前記引き出し方向において前記本体に近い側の端部が前記本体の前面から引き出された状態で、前記格納ユニットの引き出しを停止させる
ことを特徴とする請求項１に記載のスライドレールのストッパー機構。
【請求項３】
前記格納ユニットと共に前記補助スライダが前記引き出し方向に移動して前記補助スライダが前記停止部によって停止された後に、さらに引き出し方向に移動する前記格納ユニットを、前記第２位置で停止させる第２停止部を設ける
ことを特徴とする請求項１に記載のスライドレールのストッパー機構。
【請求項４】
前記補助スライダは、前記スライドレールの中で前記格納ユニットに取付けられたスライドレールの近傍に設けられる
ことを特徴とする請求項１に記載のスライドレールのストッパー機構。
【発明の詳細な説明】
【技術分野】
【０００１】
本発明は、引き出し時の衝撃からスライドレールを保護するスライドレールのストッパー機構に関する。
【背景技術】
【０００２】
大型の機器では、保守や修理の利便性を高めるために、各種機能ごとに内部の部品がユニット化される。さらに、本体の内部にスライドレールが設けられ、スライドレールに格納されるユニットが取付けられて、格納されるユニットの機器本体に対する出し入れが簡単にできるよう構成される。
【先行技術文献】
【特許文献】
【０００３】
【特許文献１】特開２００６−１９２１８０号公報
【発明の概要】
【発明が解決しようとする課題】
【０００４】
スライドレールには、引き出されたレールが抜けないようにストッパーが設けられる。ストッパーは一定の負荷には耐えられるよう設計されているが、作業者が大きな重量のユニットを勢いよく引き出したような場合には、ストッパー部分に衝撃力が加わり、ストッパーが破壊して、本体からユニットが飛び出して落下してしまう恐れもある。
【０００５】
本願発明は、上記課題に鑑み、引き出し時の衝撃からスライドレールを保護するスライドレールのストッパー機構を提供することを目的とする。
【課題を解決するための手段】
【０００６】
上記目的を達成するために、本体から本体内部の格納ユニットを引き出すように前記本体と前記格納ユニットに取付けられるスライドレールを保護するスライドレールのストッパー機構において、前記ストッパー機構は、前記格納ユニットの引き出し方向に沿って所定量だけ移動自在となるように前記格納ユニットに取り付けられ、前記格納ユニットが前記本体内部に格納された状態では前記格納ユニットに対して相対的に近づく第1位置に移動し、前記格納ユニットが前記本体から引き出される状態では、前記格納ユニットに対して相対的に離れる第２位置に移動する補助スライダと、前記本体に設けられ、前記補助スライダの引き出し方向への移動を停止させる停止部とを有し、前記ストッパー機構は、前記スライドレールによって引き出される最長の位置より前記本体に近い位置で、前記第２位置に移動した前記補助スライダを前記停止部で停止させて、前記格納ユニットの引き出しを停止させる。
【発明の効果】
【０００７】
本発明によれば、引き出し時の衝撃からスライドレールを保護するスライドレールのストッパー機構を提供することができる。
【図面の簡単な説明】
【０００８】
【図１】本実施形態に係るストッパー機構が搭載された金銭登録機の例を示す図である。
【図２】扉を開けた状態の金銭登録機を示す図である。
【図３】金銭登録機から格納ユニットが引き出される状態を示す図である。
【図４】スライドレールのストッパー機構の動作原理を説明する図である。
【図５】本実施形態に対する比較例１である。
【図６】本実施形態に対する比較例２である。
【図７】金銭登録機の右側面図である。
【図８】金銭登録機を前方斜め右方向から見た斜視図である。
【図９】金銭登録機を後側から前側に向かって斜め下方向から見上げた斜視図である。
【図１０】ストッパー機構の拡大図１である。
【図１１】ストッパー機構の拡大図２である。
【図１２】ストッパー機構の拡大図３である。
【発明を実施するための形態】
【０００９】
以下、図面に従って本発明の実施形態を説明する。図１は、本実施形態に係るスライドレールのストッパー機構が金銭登録機１に搭載された例を示す図である。図１で示す金銭登録機１は、スーパーマーケット等で購入者が自ら商品登録及び精算を行うための装置、いわゆるセルフレジ用の装置である。
【００１０】
図１は、金銭登録機１の外観図で、向かって左側が正面側である。金銭登録機１の本体１０は、縦型で、下部が正面側に突出した形状の筐体である。本体１０の正面の右側には、上から順に、金銭投入部１２、カードリーダ装着部１３、レシート及びコイン排出部１４、紙幣排出部１５及びクーポン投入部１６が設けられる。
【００１１】
また、本体１０の正面の左側には、操作入力及び表示のためのタッチパネル１７、品物の重量を測るスケール１８が設けられる。本体１０の正面の下部には、保守あるいは点検等のため内部を開放する扉１９が設けられる。また、図１には、図２以降の図面との図示方向を規定する座標軸を示す。Ｘ方向を幅方向とも呼び、左右の方向は図示の通りとする。Ｙ方向を前後方向あるいは奥行き方向とも呼び、前側・後側は図示の通りとする。
【００１２】
図２は、扉１９を開けた状態の金銭登録機１を示す図である。開放された扉１９の図示は省略している。本体１０の扉１９の内部には、金銭登録機１を構成する装置がユニット化されて格納される。内部に格納されユニット化された装置を、以下で格納ユニットと呼ぶ。内部は、中央に垂直に設けられた中板１０ｃによって、左右２つの収納空間に仕切られる。右側面には、右側面板１０ａが設けられる。
【００１３】
図３は、本体１０下部の右側の収納空間から、格納ユニット２０が引き出された状態を示す図である。格納ユニット２０は、例えば紙幣を収納する紙幣カセットである。本体１０の右の収納空間には、本体１０からの格納ユニット２０の取出しや収納を容易にするためのスライドレール３０が３本設けられる。
【００１４】
格納ユニット２０の左側にスライドレール３０Ｌａとスライドレール３０Ｌｂの２本が上下に設けられる。スライドレール３０Ｌｂは格納ユニット２０に隠れて図示されない。格納ユニット２０の右側にスライドレール３０Ｒが設けられる。
【００１５】
格納ユニット２０は、３本のスライドレール３０によって、本体１０に対して前後方向に移動自在に支持される。左側のスライドレール３０Ｌａとスライドレール３０Ｌｂは、本体１０の中板１０ｃに取付けられ、右側のスライドレール３０Ｒは、右側面板１０ａの内壁に取付けられる。
【００１６】
図４は、スライドレールのストッパー機構の動作原理を説明する図である。ストッパー機構の動作原理を説明するために、各部材は模式化して示す。また、スライドレール３０も１本のみで示す。図４Ａは、図１〜図３で示したような、格納ユニット２０が本体１０内部に収納された状態（以下、これを収納状態とも呼ぶ）である。
【００１７】
本体１０には、本体１０から格納ユニット２０を引き出すために、破線で示すスライドレール３０が設けられる。ここでは、３段式のスライドレールを例にする。スライドレール３０は、第１レール、第２レール、第３レールの３段式のレールになっている。収納状態では、第１レール内に第２レールと第３レールが収まっている。格納ユニット２０はスライドレール３０によって、本体１０に対して進退自在に支持される。
【００１８】
格納ユニット２０の側面の後部に、補助スライダ５０が設けられる。補助スライダ５０にはガイド溝５０ｂが形成され、補助スライダ５０はガイド溝５０ｂを介して格納ユニット２０に取付けられる。補助スライダ５０は、格納ユニット２０に対して前後方向にガイド溝５０ｂ長さ相当分だけ相対移動可能となる。
【００１９】
格納ユニット２０が収納状態にある場合には、補助スライダ５０の後端５０ｅが、格納ユニット２０の後端２０ａと略一致するような位置にある。この状態が、補助スライダ５０は格納ユニット２０に最も近づいた状態である。補助スライダ５０が格納ユニット２０に対して近づいた位置を第１位置と呼ぶ。補助スライダ５０の後端が、格納ユニット２０の後端より後側へ飛び出ないように設定されれば、本体１０の奥行き寸法の増加させない点で、望ましい。
【００２０】
本体１０の前面１０ｅの近傍には、補助スライダ５０の引き出し方向への移動を停止させる停止部６０が設けられる。また、補助スライダ５０には、停止部６０に当接する第１当接部５０ｃが設けられる。補助スライダ５０と停止部６０が、スライドレールのストッパー機構に含まれる。
【００２１】
図４Ｂは、格納ユニット２０が本体１０から引き出されて、補助スライダ５０の第１当接部５０ｃが停止部６０に当接して、補助スライダ５０が停止した状態である。作業者によって前側に引き出された格納ユニット２０は、スライドレール３０により本体１０の内部から、水平方向に前側に移動する。最も幅が広い第１レール３１は、本体１０の内部の側面（例えば中板１０ｃ）に固定して取付けられる。最も幅が狭い第３レール３３は、格納ユニット２０の側面に固定して取付けられる。第２レール３２は、第１レール３１及び第３レール３３の双方に移動可能である。
【００２２】
そして、補助スライダ５０は格納ユニット２０に対して最も近づいた位置、つまり第１位置のままで、収納状態から格納ユニット２０と一体的に、補助スライダ５０の第１当接部５０ｃが停止部６０に当接するまで移動する。
【００２３】
図４Ｃは、格納ユニット２０が最大引き出し位置Ｍまで移動された状態（引き出し状態とも呼ぶ）を示す図である。補助スライダ５０は停止部６０により停止されるため、図４Ｂの位置よりさらに前側へ移動することはできない。しかし、格納ユニット２０は、補助スライダ５０に対して、補助スライダ５０のガイド溝５０ｂ長さ相当分だけ前側への移動可能である。作業者の引き出し操作によって、格納ユニット２０はガイド溝５０ｂ長さ相当分だけさらに前側に移動する。これにより、格納ユニット２０に対して補助スライダ５０が相対的に離れる位置に変化することになる。格納ユニット２０に対して補助スライダ５０が離れた位置を第２位置と呼ぶ。
【００２４】
補助スライダ５０が第２位置になった状態で、格納ユニット２０が停止し、この位置が引き出し限度である。引き出し限度まで移動した格納ユニット２０の先端位置を、最大引き出し位置Ｍと呼ぶ。
【００２５】
そして、格納ユニット２０の後端２０ａが、本体１０の前面１０ｅより前まで引き出される。図４のストッパー機構によれば、格納ユニット２０全体を本体１０の前面１０ｅより前へ引き出すこと（いわゆるオーバートラベル）が可能である。
【００２６】
そして、スライドレール３０にはレールが抜け出ないようレールストッパーが設けられているが、最大引き出し位置Ｍは、スライドレール３０のレールストッパーより手前の位置に設定される。つまり、補助スライダ５０と停止部６０によるストッパー機構によって、スライドレールのレールストッパーにより規制される前に、格納ユニット２０が停止する。
【００２７】
補助スライダ５０を設けない場合には、スライドレール３０のレールストッパーが格納ユニット２０による負荷を受けることになり、重量の大きな格納ユニット２０で、かつ加速度が加わった場合には、レールストッパーを破壊するおそれもある。
【００２８】
図５、図６は、本実施形態に対する比較例で、いずれも図４の補助スライダ５０と異なり、ストッパーが格納ユニット２０に対して移動しない例である。図５は比較例１で、ストッパーが格納ユニット２０の後端から後ろに飛び出さないように取付けられた場合である。図５Ａは、格納ユニット２０が本体１０内部に収納された状態である。図５Ｂは、格納ユニット２０が引き出された状態である。
【００２９】
図４の場合と同様に、格納ユニット２０は本体１０内部にスライドレール３０によって移動自在に支持される。スライドレール３０のレールストッパーによる停止位置に達する前に格納ユニット２０を停止させるために、補助ストッパー１５０と停止部１６０が設けられる。
【００３０】
補助ストッパー１５０が格納ユニット２０の後端に設けられ、停止部１６０が本体１０の前面１０ｅの近傍に設けられる。本体１０の後側方向にムダなスペースを設けない場合には、補助ストッパー１５０は、補助ストッパー１５０の後端が格納ユニット２０の後端位置に略一致した位置に取付けられることになる。そのため、最大引き出し位置でも、格納ユニット２０の後端が本体１０の前面１０ｅより内側の位置になってしまう。つまり、図５のような構成では、格納ユニット２０全体を本体１０の外に引き出す、いわゆるオーバートラベルに対応することはできない。
オーバートラベルを可能にするためには、図６に示すように、本体１０の後側に、補助ストッパー１５０の収納スペースＬを増加した構造にする必要がある。補助ストッパー１５０を格納ユニット２０の後端からさらに後側に突出するように取り付ければ、図６Ｂに示すように、最大引き出し位置で、格納ユニット２０を、オーバートラベルの位置まで、引き出すことができる。しかし、これにより本体１０の後側に無駄なスペースが生じてしまうという問題が出る。
【００３１】
以上のように、図４で示した本実施形態によるストッパー機構によれば、スライドレール３０を保護すると同時に、本体１０の後側の寸法を大きくすることなく、格納ユニット２０をオーバートラベルの位置まで引き出すことができる。
【００３２】
まず、図７〜図９を用いて、本体１０内部から格納ユニット２０が引き出される様子を全体図で示す。図７は、金銭登録機１の右側面図である。図８は、金銭登録機１を前方斜め右上方向から見た斜視図である。図９は、金銭登録機１を後側から前側に向かって斜め下方向から見上げた斜視図である。また、図７〜図９は、本体１０内部の右側に収納される格納ユニット２０の移動を示すために、いずれも、本体１０の右側面板１０ａを除いた状態で示す。
【００３３】
図７Ａ、図８Ａは、いずれも格納ユニット２０が収納された状態を示す図である。図７Ｂ、図８Ｂ及び図９は、いずれも格納ユニット２０が引き出された状態を示す図である。また、図７，８では格納ユニット２０の外形を簡単に破線で示すが、図９では格納ユニット２０の外形を省略する。また、前述のように格納ユニット２０は、左２本・右１本の計３本のスライドレール３０で支持されるが、右側のスライドレール３０の記載は省略する。
【００３４】
格納ユニット２０は、取付板４０を介してスライドレール３０に固定される（図７Ａ）。取付板４０は、格納ユニット２０をスライドレール３０に取付けるための中継板である。格納ユニット２０にスライドレール３０を直接取り付けるのは、スペースや強度等の点から、難しい場合が多いからである。なお、図３にも示したように取付板４０は格納ユニット２０の左右に取付けられるが、図７〜図９では、ストッパー機構を分かりやすく説明するために、格納ユニット２０の左側の取付板４０のみ図示し、右側の取付板４０の図示は省略する。
【００３５】
取付板４０は、奥行き方向に長い略長方形の板状の部材である。取付板４０は、ベース面４０ｃの上側と下側に前後方向に沿って、レール取付け面４０ａ及びレール取付け面４０ｂを有する。レール取付け面４０ａとレール取付け面４０ｂは、ベース面４０ｃから中板１０ｃ側に階段状に１段突き出た面である。
【００３６】
レール取付け面４０ａの裏面側にスライドレール３０Ｌａが収納された状態で配置され、レール取付け面４０ｂの裏面側にスライドレール３０Ｌｂが収納された状態で配置される (図７Ａ及び図８Ａ参照)。
【００３７】
そして、図７Ｂに示すように、スライドレール３０Ｌａの第３レール３３Ｌａがレール取付け面４０ａに取付けられ、スライドレール３０Ｌａの第１レール３１Ｌａが中板１０ｃの上部に取付けられる。同様に、スライドレール３０Ｌｂの第３レール３３Ｌｂがレール取付け面４０ｂに取付けられ、スライドレール３０Ｌｂの第１レール３１Ｌｂが中板１０ｃに取付けられる。スライドレール３０Ｌａの第２レール３２Ｌａは、第１レール３１Ｌａと第３レール３３Ｌａの間に配置され、一端が第１レール３１Ｌａと移動可能に連結され、他端が第３レール３３Ｌａと移動可能に連結されている。スライドレール３０Ｌｂの第２レール３２Ｌｂは、第１レール３１Ｌｂと第３レール３３Ｌｂの間に配置され、一端が第１レール３１Ｌｂと移動可能に連結され、他端が第３レール３３Ｌｂと移動可能に連結されている。
【００３８】
また、本体１０と格納ユニット２０を電気的に接続するケーブルカバー７０は、一端が取付板４０のベース面４０ｃの裏面を通過して、格納ユニット２０に接続される。ケーブルカバー７０は、本体１０と格納ユニット２０を接続するケーブルを内部に保護し、格納ユニット２０の引き出し位置に応じて屈曲自在に変形する。
【００３９】
また、補助スライダ５０は、取付板４０のレール取付け面４０ａの後端側に取り付けられる。補助スライダ５０は、取付板４０に対して、前後方向（引き出し方向）に所定量だけ移動可能である。停止部６０は、中板１０ｃの前側に取付けられる。また、停止部６０は、図７Ａでは破線で示すように、収納状態では、取付板４０のベース面４０ｃの裏に隠れている。
また、図４でも説明したように、収納状態では、補助スライダ５０は、格納ユニット２０に近づいた第１位置に移動する（図７Ａ及び図８Ａ参照）。また、引き出し状態では、補助スライダ５０は、格納ユニット２０から離れた第２位置に移動する（図７Ｂ、図８Ｂ及び図９参照）。
【００４０】
図１０〜図１２は、ストッパー機構の拡大図１〜３である。図１０〜図１２を用いて、ストッパー機構の詳細を説明する。図１０は、引き出し状態のストッパー機構を示す図で、図９のストッパー機構部分の拡大図である。図１１Ａ、図１１Ｂは、収納状態のストッパー機構を示す図で、図７Ａ、図８Ａのストッパー機構部分の拡大図である。図１２Ａ、図１２Ｂは、引き出し状態のストッパー機構を示す図で、図７Ｂ、図８Ｂのストッパー機構部分の拡大図である。図１０においてストッパー機構は特に明確に示されるので、図１０を主に参照しながら説明する。
【００４１】
まず、補助スライダ５０の形状から説明する。補助スライダ５０は、前後方向に長い板状の部材で、例えば金属製である。補助スライダ５０の前後方向に長いベース部５０ａのほぼ中央に、ガイド溝５０ｂが形成される。ガイド溝５０ｂは、前後方向に沿った細長い一定幅の開口で、両端は半円状に形成される。
【００４２】
ベース部５０ａの後端に、第１当接部５０ｃが設けられる。第１当接部５０ｃは、中板１０ｃ側に向かってベース部５０ａから垂直に突出するよう設けられる。
【００４３】
第１当接部５０ｃは、引き出し状態で、後述する停止部６０の停止片６０ａに当接して、補助スライダ５０の移動を規制するものである。第１当接部５０ｃが停止片６０ａに当接して、取付板４０を含む格納ユニット２０は、引き出し方向への移動を停止する。
【００４４】
また、ベース部５０ａの前側に、それぞれ上下に突出するように、第２当接部５０ｄが２つ設けられる。対応して、取付板４０には、補助スライダ５０のベース部５０ａを上下で挟み込むように、２本の第２停止部４２が設けられる。第２停止部４２は、取付板４０のレール取付け面４０ａから補助スライダ５０側に垂直に突出するよう設けられる。引き出し方向に移動する取付板４０の第２停止部４２が第２当接部５０ｄに当接して、補助スライダ５０に対する取付板４０の移動を規制する。
【００４５】
つまり、補助スライダ５０の第１当接部５０ｃが停止片６０ａに当接し、かつ、取付板４０の第２停止部４２が補助スライダ５０の第２当接部５０ｄに当接した位置で、格納ユニット２０の引き出し方向への移動が停止される。この位置が、格納ユニット２０の最大引き出し位置に相当する。
【００４６】
カバー５２は、補助スライダ５０を取付板４０に取付けるためのものである。補助スライダ５０は、カバー５２が装着された後、ネジ５４によって取付板４０に取付けられる。図１０Ｂは、カバー５２が外された状態を示す図である。取付板４０には、ガイド溝５０ｂに対応する位置に、所定間隔離れて２本のガイド軸４３が設けられる。２本のガイド軸４３の端面には軸方向に沿ってネジ孔が形成される。２本のガイド軸４３の外周には、さらにガイド溝５０ｂと摺動する円筒部材（不図示）が組み付けられる。円筒部材が組み付けられた後に、カバー５２が装着され、ガイド軸４３のネジ孔にネジ５４が締結されて、補助スライダ５０が取付板４０に取付けられる。
【００４７】
停止部６０は、本体１０の中板１０ｃの前側の先端部分に２本のネジ６２によって取付けられる。停止部６０の先端がＬ字状に屈曲され、停止片６０ａが設けられる。停止部６０は、例えば金属部材である。停止片６０ａは、補助スライダ５０の第１当接部５０ｃの移動経路に配置される。前述のように、停止片６０ａは、引き出された補助スライダ５０の第１当接部５０ｃと当接して、引き出された格納ユニット２０を停止させる。
【００４８】
また、図１２に示すように、第２位置で、前側（図１２では左側）のガイド軸４３とガイド溝５０ｂの端部に隙間が空くようにして、ガイド軸４３に引き出し時の衝撃が加わらないようにしている。ただし、取付板４０の補助スライダ５０に対する位置規制を、ガイド軸４３とガイド溝５０ｂで行うようにしてもよい。つまり、ガイド軸４３をガイド溝５０ｂ端に当てて停止させるようにしてもよい。この場合には、ガイド軸４３が第２停止部に相当する。ただし、その場合には、ガイド軸４３の強度を、引き出し時の衝撃に耐えるような強度にする必要がある。本実施形態のように、ガイド軸とは別の第２停止部４２を設ける方が、ガイド軸４３に対し大きな制約が生じない。
【００４９】
格納ユニット２０を引き出し状態から収納状態へ移動する様子を説明する。補助スライダ５０は、引き出し状態（図１０や図１２）から収納状態（図１１）へ移動する場合に、補助スライダ５０は取付板４０に対して第２位置を維持した状態で、格納ユニット２０が後方向に移動する。補助スライダ５０は取付板４０の後端から更に後ろへ突出しているので、格納ユニット２０が収納状態近くまで移動すると、補助スライダ５０の後端５０ｅが、例えば本体１０の背面フレーム１０ｄに当接して、補助スライダ５０だけが停止する。その後、格納ユニット２０だけが後側に移動するので、取付板４０が補助スライダ５０に近づいていく。そして、格納ユニット２０が停止した収納状態では、補助スライダ５０が取付板４０に対して第１位置の状態（図１１参照）になる。
【００５０】
なお、格納ユニット２０の後側への移動停止は、図１１Ｂに示すように、取付板４０の後側端部４０ｅを本体１０の背面フレーム１０ｄに当接させて行えばよい。あるいは、スライドレール３０のストッパーを利用してもよい。
【００５１】
次に、格納ユニット２０が収納状態から引き出し状態へ移動される様子を説明する。図１１の収納状態から格納ユニット２０が引き出されると、補助スライダ５０は取付板４０に対して第１位置の状態のままで、補助スライダ５０の第１当接部５０ｃが停止部６０の 停止片６０ａに当接する位置まで、格納ユニット２０は移動する。この位置は、格納ユニット２０が最大引き出し位置まで移動する手前の位置である。
【００５２】
そして、格納ユニット２０がさらに引き出し方向に移動すると、停止した補助スライダ５０に対して、取付板４０がガイド溝５０ｂによって、さらに引き出し方向に移動する。取付板４０の第２停止部４２が第２当接部５０ｄに当接する第２位置になると、格納ユニット２０は移動を停止する。この位置が、最大引き出し位置である。
【００５３】
従って、作業者が本体１０から格納ユニット２０を勢いよく引き出しても、格納ユニット２０は、スライドレール３０のストッパー停止位置の前で停止するので、スライドレール３０のストッパーに衝撃負荷が加わるおそれがない。
【００５４】
以上の実施形態により少なくとも奏せられる効果を以下に列記する。
・ストッパー機構を格納ユニットに対してスライド移動可能に設けたので、オーバートラベルのスライドレールで使用する場合でも、収納状態でストッパー機構を格納ユニットから突出させる必要がない。つまり、オーバートラベルを実現しても、本体の奥行き寸法をストッパー機構分だけ増加させる必要がない。
・ストッパー機構の停止部材の位置を調整することで、格納ユニットの引き出しの最大位置を調整することが可能になる。
・ストッパー機構をスライドレールと同じ高さ位置に実装したので、スライドレールが伸ばされたスライドレールのストッパー位置に達する前に、確実にストッパー機構で停止させることができる。なぜなら、ストッパー機構がスライドレールから離れた位置に設けられている場合で、特にスライドレールが長い場合には、引き出された格納ユニットの重量によってスライドレールが湾曲して伸びてしまうことがある。そして、スライドレールが湾曲して伸びてしまうと、格納ユニットがストッパー機構によりストップされる前に、先にスライドレールがスライドレールのストッパーに達してしまう可能性がある。このようになると、ストッパー機構を設けても、スライドレールのストッパーに衝撃負荷がかかってしまうからである。
【００５５】
また、上記実施形態で説明した、第１当接部５０ｃ、 第２当接部５０ｄ、停止部６０、第２停止部４２の具体的な形状は、一例であって、移動を停止(規制)できる形状の組み合わせであれば、何れでもよい。
【００５６】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００５７】
１      金銭登録機
１０    本体
１０ａ  右側面板
１０ｃ  中板
１０ｄ  背面フレーム
１０ｅ  前面
２０    格納物
３０    スライドレール
４０    取付板
４２    第２停止部
４３    ガイド軸
５０    補助スライダ
５０ａ  ベース部
５０ｂ  ガイド溝
５０ｃ  第１当接部
５０ｄ  第２当接部
５０ｅ  後端
５２    カバー
５４、６２    ネジ
６０    停止部
６０ａ  停止片
【図１】
2015154841.tif 000003
【図２】
2015154841.tif 000004
【図３】
2015154841.tif 000005
【図１０】
2015154841.tif 000006
【図１１】
2015154841.tif 000007
【図１２】
2015154841.tif 000008
【図４】
2015154841.tif 000009
【図５】
2015154841.tif 000010
【図６】
2015154841.tif 000011
【図７】
2015154841.tif 000012
【図８】
2015154841.tif 000013
【図９】
2015154841.tif 000014